(57)【要約】【課題】鍵等小物の保持態様のフレキシビリティを向上させた小物保持具を提供する。【解決手段】係止孔ｐが設けられた小物Ｘ１、Ｘ２を保持する小物保持具１であって、略平板状の本体部１１を備え、本体部１１は、係止孔ｐを介して、小物Ｘ１、Ｘ２を板厚方向に回動可能に係止する係止部１２を有することを特徴とする。【選択図】図１
2020065608.tif 000002
【特許請求の範囲】
【請求項１】
係止孔が設けられた小物を保持する小物保持具であって、
略平板状の本体部を備え、
前記本体部は、係止孔を介して、前記小物を板厚方向に回動可能に係止する係止部を有することを特徴とする小物保持具。
【請求項２】
前記本体部には、貫通孔が設けられ、
前記係止部は、変形可能に構成され、前記貫通孔の少なくとも一開口端を通り、前記小物を係止することを特徴とする、請求項１に記載の小物保持具。
【請求項３】
前記本体部は、前記貫通孔により、枠体として構成され、
前記小物は、前記貫通孔の内部に配置可能であることを特徴とする、請求項２に記載の小物保持具。
【請求項４】
前記係止部は、紐状体であることを特徴とする、請求項１〜３の何れかに記載の小物保持具。
【請求項５】
前記係止部は、前記本体部に対して着脱可能に設けられていることを特徴とする、請求項１〜４の何れかに記載の小物保持具。
【請求項６】
前記小物の回動を抑止する抑止部を備え、
前記抑止部は、前記本体部に、その面方向に沿って懸架されていることを特徴とする、請求項１〜５の何れかに記載の小物保持具。
【請求項７】
前記抑止部は、紐状体であり、前記本体部の外周面に、着脱可能に巻き掛けられていることを特徴とする、請求項６に記載の小物保持具。
【請求項８】
前記本体部は、その外周面に切り欠き部を有していることを特徴とする、請求項１〜７の何れかに記載の小物保持具。
【発明の詳細な説明】
【技術分野】
【０００１】
本発明は、カード式の小物保持具に係るものである。
【背景技術】
【０００２】
従来から、カード式の小物保持具として、薄板状の部材を用いて、その面方向と鍵の面方向とが略平行となるような態様で鍵を保持しておくことが可能なカード式のキーホルダーが、種々提案されている。
【０００３】
例えば、特許文献１には、薄板状の部材の所望の箇所に、キーブランク形状のキー保持用貫通穴を形成して、カード式のキーホルダーを製造する製造器具及びその製造方法が記載されている。
【０００４】
また、特許文献２には、薄板状の部材に鍵を収納可能な凹部を設け、凹部の底面に鍵を付着可能な粘着性部材を設けることで構成されたカード式のキーホルダーが記載されている。
【０００５】
また、特許文献３には、薄板状の部材の表面に留具が設けてあり、この留具を用いて鍵を固定可能に構成されたカード式のキーホルダーが記載されている。
【先行技術文献】
【特許文献】
【０００６】
【特許文献１】特許第２６７７６５５号
【特許文献２】実開平５−７６３２４
【特許文献３】実公平１−７４８２９
【発明の概要】
【発明が解決しようとする課題】
【０００７】
しかしながら、特許文献１に記載のキーホルダーは、鍵の形状に合わせて貫通穴が形成される点、特許文献２に記載のキーホルダーは、鍵の形状に合わせて凹部が形成される点、特許文献３に記載のキーホルダーは、鍵の端部を定位置に係止するための留具が設けられている点を特徴としていることから、何れも鍵の形状や大きさによっては薄板状の部材に鍵を保持することができず、汎用性に乏しく、鍵の保持態様が限定的なものとなる。
【０００８】
本発明は上記のような実状に鑑みてなされたものであり、鍵等小物の保持態様のフレキシビリティを向上させた小物保持具を提供することを課題とする。
【課題を解決するための手段】
【０００９】
上記課題を解決するために、本発明は、
係止孔が設けられた小物を保持する小物保持具であって、
略平板状の本体部を備え、
前記本体部は、係止孔を介して、前記小物を板厚方向に回動可能に係止する係止部を有することを特徴とする。
【００１０】
本発明によれば、鍵等小物の保持態様のフレキシビリティが向上する。
即ち、面方向の回動であれば、複数保持された小物同士の面方向の回動による干渉を避けるための抑止部材を設ける必要があり、これに起因して、小物の保持態様が制限されるばかりか、小物の形状や大きさ等によっては保持できない場合もある。
しかし、本発明によれば、係止部により、板厚方向の回動が可能であるから、複数保持された小物同士の回動による干渉の恐れが無く、小物の保持態様のフレキシビリティが向上する。
【００１１】
本発明の好ましい形態では、前記本体部には、貫通孔が設けられ、前記係止部は、変形可能に構成され、前記貫通孔の少なくとも一開口端を通り、前記小物を係止することを特徴とする。
【００１２】
このような構成とすることで、小物の係止孔と貫通孔とを介して小物を係止することができるため、小物を係止した際、係止部による小物保持具の厚みの増加を抑制することが可能となる。
【００１３】
本発明の好ましい形態では、前記本体部は、前記貫通孔により、枠体として構成され、前記小物は、前記貫通孔の内部に配置可能であることを特徴とする。
【００１４】
このような構成とすることで、小物を係止した際、小物自体の厚さに起因する小物保持具の厚みの増加を抑制することが可能となる。
【００１５】
本発明の好ましい形態では、前記係止部は、紐状体であることを特徴とする。
【００１６】
このような構成とすることで、小物の小物保持具からの着脱が容易になる他、係止の強度を容易に調節することが可能となる。
【００１７】
本発明の好ましい形態では、前記係止部は、前記本体部に対して着脱可能に設けられていることを特徴とする。
【００１８】
このような構成とすることで、小物の形状や大きさ等に合わせて、小物の本体部に対する係止位置を容易に変更することが可能となる。
【００１９】
本発明の好ましい形態では、前記小物の回動を抑止する抑止部を備え、前記抑止部は、前記本体部に、その面方向に沿って懸架されていることを特徴とする。
【００２０】
このような構成とすることで、小物の不意の板厚方向への回動を抑制することが可能となる。
【００２１】
本発明の好ましい形態では、前記抑止部は、紐状体であり、前記本体部の外周面に、着脱可能に巻き掛けられていることを特徴とする。
【００２２】
このような構成とすることで、小物の形状や大きさ等に合わせて、抑止部の保持態様を任意に変更することが可能となる。
【００２３】
本発明の好ましい形態では、前記本体部は、その外周面に切り欠き部を有していることを特徴とする。
【００２４】
このような構成とすることで、抑止部の不意の位置の変化を防止することが可能となる。
【発明の効果】
【００２５】
本発明によれば、鍵等小物の保持態様のフレキシビリティを向上させた小物保持具を提供することができる。
【図面の簡単な説明】
【００２６】
【図１】本発明の実施形態１に係る小物保持具の概略斜視図である。
【図２】本発明の実施形態１に係る小物保持具の使用例を示す概略斜視図である。
【図３】本発明の実施形態１に係る小物保持具の使用例を示す概略斜視図である。
【図４】本発明の実施形態１に係る小物保持具の変更例を示す概略斜視図である。
【図５】本発明の実施形態２に係る小物保持具を示す図であって、（ａ）概略斜視図、（ｂ）使用例を示す概略斜視図である。
【図６】本発明の実施形態３に係る小物保持具を示す図であって、（ａ）概略斜視図、（ｂ）使用例を示す概略斜視図である。
【図７】本発明の実施形態４に係る小物保持具を示す図であって、（ａ）概略斜視図、（ｂ）使用例を示す概略斜視図である。
【発明を実施するための形態】
【００２７】
＜実施形態１＞
以下、図１〜図４を用いて、本発明の実施形態１に係る小物保持具について説明する。
なお、以下に示す実施形態は本発明の一例であり、本発明を以下の実施形態に限定するものではない。また、これらの図において、符号１は、本実施形態に係る小物保持具を示す。
【００２８】
図１に示すように、本実施形態に係る小物保持具１は、略平板状の本体部１１を備え、本体部１１は、小物Ｘ１、Ｘ２（図２参照）に設けられた係止孔ｐ（図２参照）を介して、小物Ｘ１、Ｘ２を板厚方向に回動可能に係止する係止部１２を有している。
また、小物保持具１は、小物Ｘ１、Ｘ２の板厚方向への回動を抑止する抑止部１３を備えている。
【００２９】
本体部１１は、その外形状が略長方形であり、中央に略長方形状の貫通孔Ｈが設けられていることにより、枠体として構成されている。本体部１１の素材としては、鉄やアルミ、ステンレス等の塑性体が好適に用いられるが、例えば木製等であっても良く、特に限定されない。
また、本体部１１は、各短辺側外周面に、半小判状の切り欠き部１１ａが１つ設けられ、各長辺側外周面に、略Ｕ字状の切り欠き部１１ａが６つ設けられている。
なお、切り欠き部１１ａの数は、これに限られず幾つであっても良いし、形状もこれに限定されない。
【００３０】
係止部１２は、弾性体からなる２つの輪状の紐状体であり、本体部１１の一短辺に、貫通孔Ｈを介して巻き付けることで、並列して本体部１１に固定されている。
また、係止部１２は、上記したように本体部１１に巻き付けられているのみであるため、小物の所望の保持態様に合わせて、適宜本体部１１から取り外し、本体部１１の異なる位置に固定し直すことができる。
なお、係止部１２は、予め輪状に形成されている輪ゴムが好適に用いられるが、本実施形態において、紐状体であれば特に限定されず、線状の紐状体を、本体部１１の何れかの辺に、貫通孔Ｈを介して巻き付け締結することで、係止部１２を構成しても良い。また、係止部１２の数は、これに限られず幾つであっても良い。
【００３１】
抑止部１３は、弾性体からなる１つの輪状の紐状体であり、本体部１１に、その面方向に沿って懸架されている。詳述すれば、抑止部１３は、本体部１１の両長辺側外周面に設けられた一対の切り欠き部１１ａに、伸長状態で係止されている。
【００３２】
図２に示すように、小物保持具１を使用する際、使用者は、各小物Ｘ１、Ｘ２に設けられた係止孔ｐに係止部１２を挿通させ、係止孔ｐを介して、係止部１２と各小物Ｘ１、Ｘ２とを締結する。こうすることで、各小物Ｘ１、Ｘ２が、係止部１２により、係止孔ｐを介して板厚方向に回動可能に係止される。
【００３３】
そして、使用者は、各小物Ｘ１、Ｘ２の端部を、抑止部１３の輪の内側に挿通させる。
こうすることで、各小物Ｘ１、Ｘ２が、板厚方向の回動が抑止され、貫通孔Ｈの内部に配置された態様で、並列に小物保持具１により保持される。
【００３４】
なお、本実施形態において、小物Ｘ１は、係止孔ｐが設けられた頭部Ｘ１ａと、凹凸面が形成された鍵本体Ｘ１ｂと、により構成される鍵である。小物Ｘ２は、端部に係止孔ｐが設けられた、外形が略長方形状のセキュリティーキーである。
【００３５】
各小物Ｘ１、Ｘ２を使用する際には、使用者は、各小物Ｘ１、Ｘ２を係止部１２側に移動させ、鍵本体Ｘ１ｂを抑止部１３の外側に出すか、抑止部１３を本体部１１から取り外した後、各小物Ｘ１、Ｘ２を本体部１１の板厚方向に回動させる。
【００３６】
図３は、小物保持具１の他の使用例を示す概略斜視図である。
即ち、図３では、係止部１２が、本体部１１の両短辺に１つずつ、貫通孔Ｈを介して巻き付けられ、本体部１１の対角線上に対向するようにして固定されている。
【００３７】
こうすることで、頭部Ｘ１ａの大きさと貫通孔Ｈの大きさの関係上、複数の小物Ｘ１を並列に小物保持具１により保持することが困難な場合であっても、使用者は、複数の小物Ｘ１を、貫通孔Ｈの内部に配置された態様で、小物保持具１に保持させることができる。
【００３８】
また、抑止部１３は、必ずしも、図２に示すように、本体部１１の短辺方向と略平行となるように、切り欠き部１１ａに係止する必要なない。
例えば、使用者は、図３に示すように、本体部１１の対角線方向に沿って、抑止部１３を切り欠き部１１ａに係止させることもでき、保持する小物の形状や大きさ、使用状況等に合わせて、抑止部１３を係止させる切り欠き部１１ａを任意に選択可能である。
【００３９】
さらに、抑止部１３は、予め輪状に形成されている輪ゴムが好適に用いられるが、これに限定されず、線状の紐状体を、本体部１１の面方向に沿って懸架されるように、任意の切り欠き部１１ａに係止し、締結することで、抑止部１３を構成しても良い。
【００４０】
この他にも、図４に示すように、鉄やアルミ、ステンレス等により形成された、略長方形状の板状体を、本体部１１の面方向に沿って懸架させることで、抑止部１３を構成しても良い。
【００４１】
図４（ａ）は、１つの抑止部１３を、その各短辺側端部を同方向に屈曲させ、その長辺方向が本体部１１の短辺方向と略平行となるように、本体部１１の面方向に沿って懸架させた際の概略斜視図である。このようにすることで、抑止部１３は、貫通孔Ｈの一方の開口端から僅かに突出している。
これにより、各小物Ｘ１の、一方の開口端方向への回動を抑止することができる。
【００４２】
図４（ｂ）は、図４（ａ）に示す抑止部１３と略同様に構成された２つの抑止部１３において、一方の抑止部１３を貫通孔Ｈの一方の開口端から僅かに突出するように設け、他方の抑止部１３を貫通孔Ｈの他方の開口端から僅かに突出するように設けた際の概略斜視図である。
これにより、各小物Ｘ１の、両方の開口端方向への回動を抑止することができる。
【００４３】
本実施形態によれば、係止部１２により、板厚方向の回動が可能であるから、複数保持された各小物Ｘ１、Ｘ２同士の回動による干渉の恐れが無く、各小物Ｘ１、Ｘ２の保持態様のフレキシビリティが向上する。
【００４４】
また、本体部１１に貫通孔Ｈが設けられ、輪状の弾性体である係止部１２が、貫通孔Ｈの少なくとも一開口端を通り、各小物Ｘ１、Ｘ２を係止することで、各小物Ｘ１、Ｘ２を係止した際、係止部１２による小物保持具１の厚みの増加を抑制することが可能となる。
【００４５】
また、本体部１１が、貫通孔Ｈにより、枠体として構成され、各小物Ｘ１、Ｘ２は、貫通孔Ｈの内部に配置可能であることで、各小物Ｘ１、Ｘ２を係止した際、各小物Ｘ１、Ｘ２自体の厚さに起因する小物保持具１の厚みの増加を抑制することが可能となる。
【００４６】
また、係止部１２が輪状の弾性体であることで、各小物Ｘ１、Ｘ２の小物保持具１からの着脱が容易になる他、係止の強度を容易に調節することが可能となる。
【００４７】
また、係止部１２が、本体部１１に対して着脱可能に設けられていることで、各小物Ｘ１、Ｘ２の形状や大きさ等に合わせて、各小物Ｘ１、Ｘ２の本体部１１に対する係止位置を容易に変更することが可能となる。
【００４８】
また、各小物Ｘ１、Ｘ２の回動を抑止する抑止部１３を備え、抑止部１３が、本体部１１に、その面方向に沿って懸架されていることで、各小物Ｘ１、Ｘ２の不意の板厚方向への回動を抑制することが可能となる。
【００４９】
また、抑止部１３が輪状の弾性体であり、本体部１１の外周面に着脱可能に巻き掛けられていることで、各小物Ｘ１、Ｘ２の形状や大きさ等に合わせて、抑止部１３の保持態様を任意に変更することが可能となる。
【００５０】
また、本体部１１が、その外周面に切り欠き部１１ａを有していることで、抑止部１３の不意の位置の変化を防止することが可能となる。
【００５１】
＜実施形態２＞
以下、図５を用いて、本発明の実施形態２に係る小物保持具について説明する。
なお、同実施形態において、先の実施形態と基本的に同一の構成要素については、同一符号を付してその説明を簡略化する。
【００５２】
図５に示すように、本実施形態に係る小物保持具１は、略平板状の本体部１１を備え、本体部１１は、小物Ｘ１に設けられた係止孔ｐを介して、小物Ｘ１を板厚方向に回動可能に係止する係止部１２を２つ有している。
【００５３】
本体部１１は、実施形態１と同様、その外形状が略長方形であり、中央に略長方形状の貫通孔Ｈが設けられていることにより、枠体として構成されている。
なお、切り欠き部１１ａの態様も実施形態１と同様であるため、その説明を省略する。
【００５４】
２つの係止部１２は、細長形状であり、鉄やアルミ、ステンレス等の塑性体で形成されている。また、各係止部１２は、本体部１１の対角線上に対向するように、貫通孔Ｈの短辺側の内周面から、本体部１１の面方向と略平行に、且つその内方に向けて、本体部１１の長辺方向に沿って延設されている。
即ち、各係止部１２は、各貫通孔Ｈの内部に配置されている。
【００５５】
図５（ｂ）に示すように、小物保持具１を使用する際、使用者は、各係止部１２を、各小物Ｘ１に設けられた係止孔ｐに挿通させた後、各係止部１２を、板厚方向に湾曲、回動させることで、本体部１１の短辺に巻き付ける。このとき、各係止部１２は、各小物Ｘ１との間に、僅かに隙間が生じるように巻き付られている。
こうすることで、各小物Ｘ１が、各係止部１２により、係止孔ｐを介して板厚方向に回動可能に係止される。
【００５６】
本実施形態においても、係止部１２の数はこれに限定されず、複数の係止部１２を、本体部１１の何れかの辺に並列して設けても良い。また、本実施形態においても、実施形態１において示した抑止部１３は、当然に適用可能である
【００５７】
＜実施形態３＞
以下、図６を用いて、本発明の実施形態３に係る小物保持具について説明する。
なお、同実施形態において、先の実施形態と基本的に同一の構成要素については、同一符号を付してその説明を簡略化する。
【００５８】
図６に示すように、本実施形態に係る小物保持具１は、略平板状の本体部１１を備え、本体部１１は、小物Ｘ１に設けられた係止孔ｐを介して、小物Ｘ１を板厚方向に回動可能に係止する係止部１２を２つ有している。
【００５９】
本体部１１は、その外形状が略長方形であり、長辺方向に延びる細長形状の２つの貫通孔Ｈが、本体部１１の対角線上に対向するように設けられている。
【００６０】
２つの係止部１２は、細長形状であり、本体部１１と同様、塑性体で形成されている。また、各係止部１２は、各貫通孔Ｈの、本体部１１における各短辺側の内周面から、本体部１１の面方向と略平行に、且つその内方に向けて、本体部１１の長辺方向に沿って延設されている。
即ち、各係止部１２は、各貫通孔Ｈの内部に配置されている。
【００６１】
図６（ｂ）に示すように、小物保持具１を使用する際、使用者は、各係止部１２を、各小物Ｘ１に設けられた係止孔ｐに挿通させた後、各係止部１２を、板厚方向に湾曲、回動させることで、本体部１１の各短辺に巻き付ける。このとき、各係止部１２は、各小物Ｘ１との間に、僅かに隙間が生じるように巻き付られている。
こうすることで、各小物Ｘ１が、各係止部１２により、係止孔ｐを介して板厚方向に回動可能に係止される。
【００６２】
本実施形態においても、係止部１２の数はこれに限定されず、複数の係止部１２を、貫通孔Ｈと共に、本体部１１の何れかの辺に沿って、並列して設けても良い。また、本実施形態においても、実施形態１において示した抑止部１３や切り欠き部１１ａは、当然に適用可能である。
【００６３】
＜実施形態４＞
以下、図７を用いて、本発明の実施形態４に係る小物保持具について説明する。
なお、同実施形態において、先の実施形態と基本的に同一の構成要素については、同一符号を付してその説明を簡略化する。
【００６４】
図７に示すように、本実施形態に係る小物保持具１は、略平板状の本体部１１を備え、本体部１１は、小物Ｘ１に設けられた係止孔ｐを介して、小物Ｘ１を板厚方向に回動可能に係止する係止部１２を２つ有している。
【００６５】
本体部１１は、その外形状が略長方形であり、略四角形状の２つの貫通孔Ｈが、本体部１１の対角線上に対向するように設けられている。
【００６６】
２つの係止部１２は、細長形状であり、鉄やアルミ、ステンレス等の塑性体で形成されている。また、各係止部１２は、本体部１１の各短辺側外周面から、本体部１１の面方向と略平行に、且つその外方に向けて、本体部１１の長辺方向に沿って延設されている。
さらに詳述すれば、係止部１２は、湾曲させることにより、貫通孔Ｈに挿通可能に構成されている。
【００６７】
図７（ｂ）に示すように、小物保持具１を使用する際、使用者は、各係止部１２を、各小物Ｘ１に設けられた係止孔ｐに挿通させた後、各係止部１２を、板厚方向に湾曲、回動させることで、各貫通孔Ｈに挿通させ、本体部１１の各短辺に巻き付ける。このとき、各係止部１２は、各小物Ｘ１との間に、僅かに隙間が生じるように巻き付けられている。
こうすることで、各小物Ｘ１が、係止部１２により、係止孔ｐを介して板厚方向に回動可能に係止される。
【００６８】
本実施形態においても、複数の係止部１２を、本体部１１の何れかの辺に沿って、並列して設けても良い。また、本実施形態においても、実施形態１において示した抑止部１３や切り欠き部１１ａは、当然に適用可能である。
【００６９】
なお、上記の実施形態１〜４において示した各構成部材の諸形状や寸法等は一例であって、設計要求等に基づき種々変更可能である。
また、上記の実施形態１〜４において保持する小物は、鍵やセキュリティーキーの他にも、例えばフラット栓抜きやプラスチックタグ等係止孔が設けられ平たい形状のものであれば、小物保持具１による保持が可能である。
【符号の説明】
【００７０】
１          小物保持具
１１        本体部
１１ａ      切り欠き部
１２        係止部
１３        抑止部
Ｈ          貫通孔
Ｘ１、Ｘ２  小物
Ｘ１ａ      頭部
Ｘ１ｂ      鍵本体
ｐ          係止孔
【図１】
2020065608.tif 000003
【図２】
2020065608.tif 000004
【図３】
2020065608.tif 000005
【図４】
2020065608.tif 000006
【図５】
2020065608.tif 000007
【図６】
2020065608.tif 000008
【図７】
2020065608.tif 000009
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
係止孔が設けられた小物を保持する小物保持具であって、
略平板状の本体部を備え、
前記本体部は、係止孔を介して、前記小物を板厚方向に回動可能に係止する係止部を有し、
前記本体部には、貫通孔が設けられ、
前記係止部は、変形可能に構成され、前記貫通孔の少なくとも一開口端を通り、前記小物を着脱可能に係止することを特徴とする小物保持具。
【請求項２】
前記本体部は、前記貫通孔により、枠体として構成され、
前記小物は、前記貫通孔の内部に配置可能であることを特徴とする、請求項１に記載の小物保持具。
【請求項３】
前記係止部は、紐状体であることを特徴とする、請求項１又は２に記載の小物保持具。
【請求項４】
前記係止部は、前記本体部に結び付けられることで、前記本体部に対して着脱可能に設けられていることを特徴とする、請求項３に記載の小物保持具。
【請求項５】
前記係止部は、弾性体であることを特徴とする、請求項１〜４の何れかに記載の小物保持具。
【請求項６】
前記小物の回動を抑止する抑止部を備え、
前記抑止部は、前記本体部に、その面方向に沿って懸架されていることを特徴とする、請求項１〜５の何れかに記載の小物保持具。
【請求項７】
前記抑止部は、前記貫通孔の両開口端に、前記貫通孔を跨いで設けられていることを特徴とする、請求項６に記載の小物保持具。
【請求項８】
前記抑止部は、紐状体であり、前記本体部の外周面に、着脱可能に巻き掛けられていることを特徴とする、請求項６又は７に記載の小物保持具。
【請求項９】
前記本体部は、その外周面に切り欠き部を有していることを特徴とする、請求項１〜８の何れかに記載の小物保持具。